(57)【要約】【課題】有機物等を水中で撹拌して浮揚させ、この浮揚物を回収ポンプで回収して浄化処理でき、底泥を砂とともに揚泥する従来装置に比べて、効率よく、しかもより低コストで有機物を浄化できる底泥浄化装置を提供する。【解決手段】支柱２とシュラウド３と回収ポンプ４とを備えている。筒状のシュラウド３の周囲壁には第１ノズル１５と第２ノズル１６を、それぞれの噴出中心軸線Ｐ１・Ｐ２が一定方向に指向するように設けて、撹拌された底泥をシュラウド３に沿って一方向へ旋回させる。両ノズル１５・１６による撹拌作用で有機物を含む細粒土と砂と砂礫を分離し、分離された有機物および細粒土を、シュラウド３の上面開口から支柱２に沿って空気とともに浮揚させて回収ポンプ４で回収する。シュラウド３の上開口面に、旋回する撹拌流があふれ出るのを規制する複数個の規制翼３２を設ける。【選択図】図１
2011194288.tif 000002
【特許請求の範囲】
【請求項１】
懸吊装置（１）で吊持される支柱（２）と、支柱（２）の下端に固定されるシュラウド（３）と、シュラウド（３）より上側の支柱（２）の周面に配置されて、支柱（２）に沿って浮揚する有機物および細粒土を回収する回収ポンプ（４）とを備えており、
上下面が開口する筒状のシュラウド（３）の周囲壁には、加圧された水をシュラウド（３）内の底泥へ向かって噴出する複数個の第１ノズル（１５）と、加圧された空気を加圧された水とともにシュラウド（３）内へ噴出する複数個の第２ノズル（１６）とが、所定間隔おきに設けられており、
第１ノズル（１５）および第２ノズル（１６）は、それぞれの噴出中心軸線（Ｐ１・Ｐ２）が支柱（２）の周回方向に沿って同じ向きに指向されていて、撹拌された底泥をシュラウド（３）に沿って一方向へ旋回でき、
両ノズル（１５・１６）による撹拌作用で有機物を含む細粒土と砂と砂礫をシュラウド（３）内で互いに衝突させて有機物を分離し、分離された有機物および細粒土を、シュラウド（３）の上面開口から支柱（２）に沿って空気とともに浮揚させて、回収ポンプ（４）で回収することを特徴とする底泥浄化装置。
【請求項２】
シュラウド（３）の上開口面に、旋回する撹拌流があふれ出るのを規制する複数個の規制翼（３２）が設けられており、
規制翼（３２）の断面が、撹拌流の旋回上手側から旋回下手側へ向かって下り傾斜させてある請求項１に記載の底泥浄化装置。
【請求項３】
シュラウド（３）の下縁寄りの周壁に第１ノズル（１５）が配置され、第１ノズル（１５）より上側のシュラウド（３）の周壁に第２ノズル（１６）が配置されており、
第１ノズル（１５）の噴出中心軸線（Ｐ１）、および第２ノズル（１６）の噴出中心軸線（Ｐ２）のそれぞれが、各ノズル（１５・１６）のシュラウド（３）への固定位置から斜め下向きに設定されており、
第２ノズル（１６）の噴出中心軸線（Ｐ２）の傾き角度（θ２）が、第１ノズル（１５）の噴出中心軸線（Ｐ１）の傾き角度（θ１）より大きく設定してある請求項２に記載の底泥浄化装置。
【請求項４】
シュラウド（３）の内面、シュラウド（３）で囲まれる支柱（２）の外面、および規制翼（３２）の下面の少なくとも１個所に、旋回流を撹拌する撹拌翼（３３）が設けてある請求項２または３に記載の底泥浄化装置。
【請求項５】
シュラウド（３）が、支柱（２）の周面に放射状に配置した複数個のブラケット（１０）で固定支持されており、
シュラウド（３）とブラケット（１０）の重合領域内に規制翼（３２）が配置してある請求項２、３または４に記載の底泥浄化装置。
【発明の詳細な説明】
【技術分野】
【０００１】
本発明は、港湾、湖沼、河川、池などの閉鎖性水域においてヘドロ等の有機物や汚染物質を分離し除去するための底泥浄化装置に関する。
【背景技術】
【０００２】
この種の底泥浄化装置に関して、特許文献１の浚渫底泥の処理方法が公知である。そこでは、底泥を砂や礫とともに揚泥ポンプで揚泥し、揚泥された底泥にオゾンを接触させ、さらに凝集剤を添加してフミン物質（有機物質）を分解する。つぎに、オゾン処理された底泥を固液分離し、分離されたフロック（固相）を水底へ戻し、分離液に対して再度オゾンを接触させてフミン物質を再分解する。
【０００３】
本発明の底泥浄化装置においては、加圧した水や空気を底泥に向かって噴射して、底泥を撹拌し有機物を浮揚させ、浮揚した有機物を回収ポンプで船台等へ汲み上げるが、この種の浄化装置は特許文献２に開示されている。そこでは、水中に沈めたノズルから高圧水を噴出して、砂礫などに付着する汚濁物を分離し、分離された汚濁物をノズルより下流側に配置したバケットで受け止め、回収ポンプで回収して回収容器に貯留し水切りする。
【０００４】
特許文献３の底質改善方法においては、ヘドロ状の底泥を海水とともにポンプで揚泥し、揚泥された底泥を液体サイクロン分離装置で砂と、嫌気性の底泥とに分離し、砂のみを底質へ戻すようにしている。嫌気性の底泥は、粘土、シルト、有機物などで構成されており、第１・第２の各底泥改善槽に収容して好気化処理（間欠曝気）される。改質された嫌気性の底泥は、水田の客土、無機物焼成品の原料などに再利用でき、必要があれば元の水域に撒き戻される。
【０００５】
特許文献４の水中堆積物の処理装置においては、下向きに開口する角箱状のケーシングを海底に沈め、ケーシング内の６箇所に設けたノズルを縦軸回りに揺動しながら高圧水を噴出し、ケーシングで囲まれた海底に堆積する貝殻やカキ殻を破砕処理している。ノズルから噴出される海水は高圧（１平方ｃｍ当り１５０Ｋｇｆ）に加圧されている。
【先行技術文献】
【特許文献】
【０００６】
【特許文献１】特開２００９−１８２２３号公報（段落番号００１９、図１）
【特許文献２】特開２００２−２８５２６号公報（段落番号００１５、図２）
【特許文献３】特開２００７−９８２５３号公報（段落番号００２２、図１）
【特許文献４】特許第２７４６８６８号公報（段落番号００１６、図３）
【発明の概要】
【発明が解決しようとする課題】
【０００７】
特許文献１の浚渫底泥の処理方法では、底泥を砂や礫とともに揚泥ポンプで揚泥し、揚泥された底泥にオゾンを接触させ、さらに凝集剤を添加して有機物を除去する。このように、底泥を砂ごと揚泥する浄化法によれば、確実に浄化処理を行なえるが、全体装置が大掛かりとなり処理コストが嵩む。また、処理した後の砂や砂礫、あるいはフロック（固相）を水底へ戻すのに多くの手間とコストが掛かる。
【０００８】
特許文献２の浄化装置では、ノズルから噴出した高圧水を砂礫などに噴き付け、分離された汚濁物を下流側のバケットで受け止めて回収ポンプで回収する。そのため、分離された汚濁物の大半が浄化現場の下流側に拡散しやすく、汚濁物を効果的に回収することができない。
【０００９】
特許文献３の底質改善方法においては、ヘドロ状の底泥をポンプで揚泥し、揚泥された底泥を液体サイクロン分離装置で砂と、嫌気性の底泥とに分離して、砂を底質へ戻す。そのため、より確実な浄化処理を行なえるが、特許文献１の浄化法と同様に、全体装置が大掛かりとなり処理コストが嵩む。処理した後の砂や砂礫を水底へ戻すのに少なからず手間とコストが掛かる。特許文献４の水中堆積物の処理装置は、ケーシングで囲まれた海底に堆積する貝殻やカキ殻を破砕処理しているにすぎず、ヘドロに代表される有機物を処理できない。
【００１０】
本発明の目的は、有機物等を水中で撹拌して浮揚させ、この浮揚物を回収ポンプで回収して浄化処理でき、したがって、底泥を砂とともに揚泥する従来装置に比べて、効率よく、しかもより低コストで有機物を浄化できる底泥浄化装置を提供することにある。
本発明の目的は、全体構造が簡単で導入コストが少なくて済むにもかかわらず、有機物や細粒土を効率良く分離して回収でき、したがって底泥の浄化に要する手間とコストを大幅に削減できる、経済性に優れた底泥浄化装置を提供することにある。
【課題を解決するための手段】
【００１１】
本発明に係る底泥浄化装置は、懸吊装置１で吊持される支柱２と、支柱２の下端に固定されるシュラウド３と、シュラウド３より上側の支柱２の周面に配置されて、支柱２に沿って浮揚する有機物および細粒土を回収する回収ポンプ４とを備えている。上下面が開口する筒状のシュラウド３の周囲壁には、加圧された水をシュラウド３内の底泥へ向かって噴出する複数個の第１ノズル１５と、加圧された空気を加圧された水とともにシュラウド３内へ噴出する複数個の第２ノズル１６とを、所定間隔おきに設ける。第１ノズル１５および第２ノズル１６は、それぞれの噴出中心軸線Ｐ１・Ｐ２が支柱２の周回方向に沿って同じ向きに指向されていて、撹拌された底泥をシュラウド３に沿って一方向へ旋回できる。両ノズル１５・１６による撹拌作用で有機物を含む細粒土と砂と砂礫をシュラウド３内で互いに衝突させて有機物を分離し、分離された有機物および細粒土を、シュラウド３の上面開口から支柱２に沿って空気とともに浮揚させて回収ポンプ４で回収する。なお、支柱２の周回方向とは、図４のようにシュラウド３を平面から見るときの支柱２周りの周回方向を意味しており、時計回転方向である場合と、反時計回転方向である場合とのいずれかであることを意味している。したがって、噴出中心軸線Ｐ１・Ｐ２が支柱２の周回方向に沿って同じ向きに指向されるとは、図４に示すように、平面から見るときの噴出中心軸線Ｐ１・Ｐ２が、時計回転方向と反時計回転方向との、いずれか一方に沿って指向させてあることを意味する。
【００１２】
シュラウド３の上開口面に、旋回する撹拌流があふれ出るのを規制する複数個の規制翼３２を設ける。規制翼３２の断面は、撹拌流の旋回上手側から旋回下手側へ向かって下り傾斜させる。
【００１３】
シュラウド３の下縁寄りの周壁に第１ノズル１５を配置し、第１ノズル１５より上側のシュラウド３の周壁に第２ノズル１６を配置する。第１ノズル１５の噴出中心軸線Ｐ１、および第２ノズル１６の噴出中心軸線Ｐ２のそれぞれを、各ノズル１５・１６のシュラウド３への固定位置から斜め下向きに設定する。第２ノズル１６の噴出中心軸線Ｐ２の傾き角度θ２を、第１ノズル１５の噴出中心軸線Ｐ１の傾き角度θ１より大きく設定する。
【００１４】
シュラウド３の内面、シュラウド３で囲まれる支柱２の外面、および規制翼３２の下面の少なくとも１個所に、旋回流を撹拌する撹拌翼３３を設ける。
【００１５】
シュラウド３は、支柱２の周面に放射状に配置した複数個のブラケット１０で固定支持する。シュラウド３とブラケット１０の重合領域内に規制翼３２を配置する。
【発明の効果】
【００１６】
本発明に係る底泥浄化装置においては、筒状のシュラウド３の周囲壁に第１ノズル１５と第２ノズル１６を設け、両ノズル１５・１６から噴出される高圧の水で底泥を掘り起こしながら撹拌し、さらにシュラウド３に沿って旋回させるようにした。底泥を構成する砂、礫、細粒土、有機物は、シュラウド３内を旋回しながら撹拌される間に分離される。撹拌された砂、礫、細粒土、有機物は、やがて支柱２に沿ってシュラウド３の上方へと噴き上げられるが、有機物や有機物を含む細粒土は、砂や礫などに比べて質量が軽いため、空気とともにより上方まで噴き上げられる。しかし、大きくて質量が大きな砂や礫は、噴き上げられる距離に限界があり、自重で水底へと沈降する。その結果、砂および礫と、細粒土および有機物を水中で分級でき、空気とともに浮揚してきた有機物や細粒土を回収ポンプ４で回収して浄化処理できる。
【００１７】
上記のように、本発明の底泥浄化装置によれば、浄化処理すべき有機部や有機物を含む細粒土のみを回収ポンプ４で回収できるので、底泥を砂等とともに揚泥する従来装置に比べて、効率よく有機物等を回収でき、しかも浄化装置の運転コストを大幅に削減できる。また、支柱２、シュラウド３、回収ポンプ４と、第１・第２の両ノズル１５・１６などで浄化装置を構成するので、従来のこの種の装置に比べて全体構造を簡素化して、浄化装置の導入コストを削減できる。さらに、水中で有機物や細粒土を砂や礫から分級するので、有機物や細粒土を効率良く分離して回収でき、したがって底泥の浄化に要する手間とコストを大幅に削減して、全体として経済性に優れた底泥浄化装置を提供できる。底泥をシュラウド３内で撹拌し旋回させる過程では、浄化対象区の砂や砂礫を、第２ノズル１６から送給される空気に接触させて曝気し好気化できるので、撹拌後に水底に沈降した砂や砂礫は、浄化対象区の水質を浄化することにも役立つ。
【００１８】
シュラウド３の上開口面に規制翼３２を設けると、旋回する撹拌流がシュラウド３の上面からあふれ出るのを規制翼３２で規制して、有機物や細粒土を砂や礫とともに充分に撹拌して、有機物の分離を促進できる。また、撹拌する過程で、砂、礫、細粒土、および有機物を空気と充分に接触させて、砂や礫を好気化し、あるいは細粒土および有機物の浮揚を促進することができる。したがって、細粒土および有機物と、砂および礫の分離をさらに確実に行なうことができるうえ、浄化後の砂や砂礫による水質の浄化を促進できる。
【００１９】
規制翼３２の断面を、撹拌流の旋回上手側から旋回下手側へ向かって下り傾斜させると、有機物に比べて質量の大きな砂や礫を規制翼３２に衝突させて運動エネルギーを減殺できる。また、砂や礫を旋回方向と交差する向きへ変向案内して、規制翼３２の間から噴出させることができる。したがって、砂や礫の噴き上がり高さを充分に抑止して、有機物および細粒土と、砂および礫との分級をさらに確実に行なえる。
【００２０】
シュラウド３の下縁寄りに配置した第１ノズル１５は、シュラウド３を底泥に沈座させた状態において、底泥を掘り起こして懸濁させる。また、第１ノズル１５より上側に配置した第２ノズル１６は、掘り起こされた底泥を撹拌し、シュラウド３に沿って旋回させながら空気を供給する。このように、異なる機能の第１ノズル１５と第２ノズル１６とで、底泥を掘り起こし、撹拌し、旋回させることにより、砂、礫、細粒土、有機物の撹拌と、曝気とを効果的に行なうことができる。
【００２１】
斜め下向きに設定した第２ノズル１６の噴出中心軸線Ｐ２の傾き角度θ２を、第１ノズル１５の噴出中心軸線Ｐ１の傾き角度θ１より大きく設定すると、両噴出中心軸線Ｐ１・Ｐ２が上下方向に交差するので、懸濁された状態の底泥と、第２ノズル１６から噴出される空気との接触機会を増加できる。したがって、第１ノズル１５で掘り起こされた底泥に対して充分な量の空気を接触させて、砂や礫を効果的に曝気することができる。
【００２２】
シュラウド３、支柱２、および規制翼３２に撹拌翼３３を設けると、シュラウド３に沿って旋回する撹拌流の流れを撹拌翼３３で邪魔して、撹拌翼３３より下流側に渦流を生じさせることができる。この渦流によって流動する水、砂、礫、細粒土、有機物が激しく混ぜ合わされるので、撹拌効果をさらに向上することができる。
【００２３】
規制翼３２をシュラウド３とブラケット１０の重合領域内に配置すると、シュラウド上部に沿って旋回する撹拌流をブラケット１０の下縁部分でせき止め、さらにシュラウド３の上面からあふれ出ようとする撹拌流を規制翼３２で規制できる。したがって、質量が大きな砂や礫の運動エネルギーをブラケット１０および規制翼３２でさらに確実に減殺して、砂や礫の噴き上がりを効果的に抑止できる。
【図面の簡単な説明】
【００２４】
【図１】本発明に係る底泥浄化装置の要部の縦断正面図である。
【図２】底泥浄化装置の全容を示す概略説明図である。
【図３】シュラウドの横断平面図である。
【図４】第１ノズルと第２ノズルの配置形態を示す横断平面図である。
【図５】第１ノズルの縦断面図である。
【図６】図５におけるＡ−Ａ線断面図である。
【図７】第２ノズルの縦断面図である。
【図８】図７におけるＢ−Ｂ線断面図である。
【図９】底泥浄化装置の変形例を示す縦断面図である。
【図１０】底泥浄化装置のさらに別の変形例を示す縦断面図である。
【発明を実施するための形態】
【００２５】
（実施例）  図１ないし図８は本発明に係る底泥浄化装置の実施例を示している。この実施例では港湾などの海底に沈降するヘドロ状の底泥を浄化する場合について説明する。図２において浄化装置は、クレーンやバックホーなどの懸吊装置１で吊持される支柱２と、支柱２の下端に固定されるシュラウド３と、シュラウド３より上側の支柱２の周面に配置される回収ポンプ４などで構成してある。バックホーなどの建機で懸吊装置１を構成する場合には、後述するノズル１５・１６の噴出反力を建機で受け止めて、浄化装置が回転するのを阻止できる。懸吊装置１はポンプやコンプレッサーなどとともに船台上に設けてあり、その近傍には回収ポンプ４で回収した有機物や細粒土を濾過するためのろ過装置５が設置してある。浄化装置で撹拌された底泥が浄化対象区の外へ分散し、あるいは流出するのを防ぐために、浄化対象区の周囲はシルトカーテン６で区分してある。
【００２６】
支柱２は中空管状に構成してあり、その下端７は先すぼまりテーパー状に尖らせてある。支柱２の周面には、ポンプあるいはコンプレッサーで加圧された海水や空気を、後述するノズル１５・１６へ送給するための金属管や分岐管が固定してある。これらの配管とポンプおよびコンプレッサーとは、懸吊装置１と支柱２との間に設けた高圧のゴムホース（図示していない）を介して連結してある。回収ポンプ４用の給電線、および回収管なども先の配管と同様にして支柱２の周面に沿って配置してある。
【００２７】
図１に示すようにシュラウド３は、上下面が開口する鋼板製の円筒体からなり、先の支柱２の下部に設けた上ブラケット（ブラケット）１０と下ブラケット（ブラケット）１１に固定されて、支柱２と同心状に支持されている。上ブラケット１０は、支柱２の周面に十文字状に配置されており、その下部はシュラウド３の周壁のスリットに差し込まれて、スリットとの内外の交差部分のそれぞれが溶接してある。このように、上ブラケット１０の下部はシュラウド３の上開口の内部に敢えて位置させてあり、シュラウド３と上ブラケット１０の重合寸法、すなわち、シュラウド３の上開口面から上ブラケット１０の下縁までの距離は２００ｍｍである。下ブラケット１１は十文字状の桟体からなり、支柱２の下端７とシュラウド３の内面壁にそれぞれ溶接してある。上ブラケット１０と下ブラケット１１の配置位置は周方向へ４５度ずらしてある（図３参照）。
【００２８】
シュラウド３の周壁の下縁寄りには、加圧された海水をシュラウド３内の底泥へ向かって噴出する４個の第１ノズル１５が等間隔おきに設けてある。また、第１ノズル１５より上側のシュラウド３の周壁には、加圧された空気を加圧された海水とともにシュラウド３内へ噴出する４個の第２ノズル１６が等間隔おきに設けてある。第１ノズル１５と第２ノズル１６は、図４に示すように平面から見るときの位置が、周方向へずれる状態で配置してある。
【００２９】
第１ノズル１５の噴出中心軸線Ｐ１、および第２ノズル１６の噴出中心軸線Ｐ２は、それぞれシュラウド３の内部で平面から見て正方形状に交差しており、各噴出中心軸線Ｐ１・Ｐ２は支柱２の周回方向に沿って同じ向きに指向させてある。この実施例では、各噴出中心軸線Ｐ１・Ｐ２を反時計回転方向の周回方向に沿って指向させるようにした。各噴出中心軸線Ｐ１・Ｐ２のそれぞれは、各ノズル１５・１６のシュラウド３への固定位置から斜め下向きに指向するように設定してある。詳しくは、図５に示すように、噴出中心軸線Ｐ１の傾き角度θ１が水平面に対して１０度であるのに対し、図７に示すように後者の噴出中心軸線Ｐ２の傾き角度θ２は水平面に対して２０度に設定してある。図４に示すように、シュラウド３を平面から見るときの、支柱２の中心と各ノズル１５・１６の取付け中心を結ぶ中心線と、各噴出中心軸線Ｐ１・Ｐ２とが挟む角度αは、それぞれ同じに設定してあり、この実施例では３５度とした。
【００３０】
第１ノズル１５は、１平方ｃｍあたり１２０Ｋｇｆ以上に加圧された海水をシュラウド３内の底泥へ向かって噴出して、底泥、砂、礫を掘り起こし撹拌する。また、第２ノズル１６は、１平方ｃｍあたり７Ｋｇｆに加圧された空気を、１平方ｃｍあたり３０Ｋｇｆに加圧された海水に混合してシュラウド３内へ噴出し、第１ノズル１５と協同して底泥、砂、礫を撹拌し曝気する。浄化装置を全体として見るとき、全てのノズル１５・１６の噴出方向は、シュラウド３の周壁に沿って同じ向きに設定してある。したがって、両ノズル１５・１６から噴出された水流によって撹拌された底泥、砂、礫は、図４に向かってシュラウド３内を反時計回転方向へ旋回する。
【００３１】
図５および図６に示すように第１ノズル１５は、円柱状のノズルブロック１８と、ノズルブロック１８の先端のノズル口１９に臨んで固定されるノズルピース２０とで構成する。筒状のノズル口１９の周壁の２個所には、吸引開口２１が互いに平行な開口中心線に沿って形成してある。ノズルピース２０から高圧の海水が噴出されるとき、ノズル口１９の周囲に存在する海水、砂、礫、細粒土、有機物は、吸引開口２１から吸い込まれて高圧の海水とともに噴出されるが、図６に示すように吸引開口２１が上下互い違い状に配置してあるので、ノズル口１９から噴出する随伴噴出流は一方向へねじられた水流となる。したがって、第１ノズル１５による撹拌効果を向上できる。第１ノズル１５に高圧の海水を供給するポンプを、図２に符号３６で示している。
【００３２】
図７に示すように、第２ノズル１６は、直方体状のノズル本体２４と、ノズル本体２４に固定される空気導入ブロック２５と、これら両者２４・２５の間に固定されるノズルピース２６とを備えている。ノズル本体２４には液入口２７が形成してあり、空気導入ブロック２５には、空気入口２８と混合室２９とが設けてある。符号３０はノズル口である。ノズルピース２６から混合室２９に噴出される海水の流動作用で、空気入り口２８から供給される空気を混合室２９内で海水中に混合して、ノズル口３０から噴出することができる。このように、加圧された海水中に空気を混合して噴出すると、加圧した空気を単独で噴出す場合に比べて、空気を含む加圧水をより遠くまで貫通させて、底泥を構成する細粒土、砂、礫などに空気を効果的に接触させて好気化できる。第２ノズル１６に高圧の海水を供給するポンプを図２に符号３６で示し、加圧空気を第２ノズル１６に供給するコンプレッサーを図２に符号３８で示している。なお、第１ノズル１５用のポンプ３６、および第２ノズル１６用のポンプ３７は、それぞれ船台上に設けたタンク３９に貯留した海水を加圧して、各ノズル１５・１６に送給する。タンク３９には、ろ過装置５でろ過された後の清浄な海水が貯留してある。
【００３３】
上記の両ノズル１５・１６から大量の海水を噴出することにより、シュラウド３の内部に一方向に旋回する撹拌流が形成されるが、シュラウド３内の撹拌流が上開口面から自由にあふれ出るのを制限するために、１２個の規制翼３２を放射状に設けている。規制翼３２は、シュラウド３と上ブラケット１０の重合領域内に配置してあり、支柱２の外周面とシュラウド３の内周面のそれぞれに溶接してある。規制翼３２の翼幅は支柱２の側で狭く、シュラウド３に近づくほど広幅に形成してある。また、規制翼３２の断面は、旋回する水流の旋回上手側から旋回下手側へ向かって下り傾斜するように傾斜させてある。図３に示すように、周方向に隣接する規制翼３２の間には、海水、砂、礫、細粒土、有機物の出口３５となる隙間が放射状に形成される。シュラウド３の開口を平面から見るときに、規制翼３２がシュラウド３の開口面積に占める投影面積の割合は約半分である。
【００３４】
上記のように、規制翼３２を旋回上手側から旋回下手側へ向かって下り傾斜させると、旋回水流とともに流動する細粒土、砂、礫などが、シュラウド３の上開口からあふれ出すのを規制して、シュラウド３内における底泥の撹拌を効果的に行なうことができる。とくに、有機物に比べて質量の大きな砂や礫を、規制翼３２に衝突させて運動エネルギーを減殺し、さらに旋回方向と交差する向きに変向案内して規制翼３２の間の出口３５から噴出させることができるので、砂や礫の噴き上がり高さを充分に抑止して、有機物および細粒土と、砂および礫との分級をさらに確実に行なえる。
【００３５】
規制翼３２のひとつの下面には、撹拌翼３３が固定してある。撹拌翼３３は帯板状の鋼板からなり、規制翼３２の放射方向の中途部に下向きに突出する状態で固定してある。このように撹拌翼３３を設けると、シュラウド３内を旋回する細粒土、砂、礫の旋回動作を撹拌翼３３で乱して、撹拌翼３３より下流側に渦流を発生させて、撹拌作用をさらに向上できる。シュラウド３の内面に位置する上ブラケット１０の下部壁も、旋回する水流を受け止めて、撹拌効果を向上することに役立っている。
【００３６】
有機物の濃度が高い海水を回収ポンプ４で効果的に回収するために、回収ポンプ４は、その吸込口４ａがシュラウド３より上方に（海面側）に位置するように吊り下げてある。回収ポンプ４の吊り下げ高さは、潮位の変化や底泥の状況の違いに応じて変更され、回収ポンプ４から吐出される海水に含まれる有機物の濃度を測定もしくは視認しながら、最も濃度が濃い位置で有機物の回収を行なう。回収ポンプ４に吸い込まれた有機物および海水はろ過装置５へ送給されてろ過処理される。
【００３７】
以上のように構成した浄化装置は、図２に示すように、第１・第２のノズル１５・１６から加圧した海水、および加圧した空気を含む海水を噴出しながら、シュラウド３を底泥に沈座させ、回収ポンプ４を作動させて有機物を海水ごと汲み上げてろ過装置５に送給する。底泥に沈座した状態のシュラウド３の下縁は、底泥表面から約５０ｃｍほど底泥内に沈み込んでいる。しかし、浄化処理の進行に伴なって、両ノズル１５・１６から噴出される高圧の海水によって底泥が徐々に浸食されるので、底泥の浸食作用に追随して支柱２およびシュラウド３をさらに沈降させて、海底基盤にまで沈下させることができる。シュラウド３を底泥に沈座させるとき、あるいは、先のように支柱２およびシュラウド３をさらに沈降させるとき、支柱２の下端７は底泥をテーパー面に沿って押しのけながら掘り起こすことに役立つ。
【００３８】
因みに、底泥は、沈降した有機物を主体とする細粒土と、細粒土より粒が大きな砂や礫などの粗粒体で構成されており、粗粒体の表面に付着ないし吸着されている有機物の量は、細粒土に付着ないし吸着されている有機物の量に比べてはるかに少ない。こうした有機物の付着量や吸着量の違いは、細粒土の比表面積（単位重量あたりの表面積）が、粗粒体の比表面積に比べてはるかに大きいことに起因しており、比表面積が大きい分だけ有機物の吸着量がより大量になる。
【００３９】
なお、平均的な底泥の全体質量および全体表面積を１００％とするとき、細粒土が占める質量の割合は１０から１５％に過ぎないが、細粒土の比表面積は８０〜９０％を占めている。したがって、有機物の吸着や付着が表面積に依存していると想定するとき、底泥を構成する細粒土を浄化処理してやると、底泥に含まれる有機物の８０〜９０％を除去できることになる。本発明の浄化装置は、このことを利用して浄化処理を行なっており、最小限の揚泥を行ないながら、より効果的に有機物、および有機物を含む細粒土を除去できるようにしている。
【００４０】
底泥を浄化する過程では、シュラウド３の内部に両ノズル１５・１６から大量の海水が噴出される。そのため、撹拌された細粒土、砂、礫は、旋回する水流とともにシュラウド３の出口３５から支柱２に沿って噴き上がる。このとき、砂や礫に比べて比重が軽い有機物および細粒土は、シュラウド３内に吹き込まれた空気とともにシュラウド３からより遠くまで（海面側）まで噴き上がる。噴き上げられた有機物および細粒土は、先に説明したように回収ポンプ４で海水とともに回収してろ過装置５へ送給される。
【００４１】
一方、砂や礫は、質量が大きいため噴き上がる距離に限界があり、その殆どが回収ポンプ４の吸込口４ａに到達する以前に自重で沈降する。このように、本発明の浄化装置では、質量が大きな砂や礫を海水中で分級して、有機物や有機物を含む細粒土を効果的に回収ポンプ４で回収できる。したがって、底泥の全てを揚泥する従来の浄化装置に比べて、より少ないコストで有機物や、有機物を含む細粒土を効果的に回収できる。海底に沈降した砂や礫は、シュラウド３内で撹拌される間に、空気に接触して好気化されているので、撹拌後に海底に堆積した状態で、底層水の水質を浄化することに役立つ。
【００４２】
一定時間が経過し、あるいはシュラウド３が海底基盤に到達した時点で、支柱２およびシュラウド３の沈座位置を変更し、上記と同様にして底泥を撹拌しながら、シュラウド３から噴き上がる有機物および細粒土を回収ポンプ４で回収してろ過装置５へ送給する。以後、同様の浄化作業を繰り返し行なうことにより、シルトカーテン６で囲まれた領域全体の底泥を除去できる。ろ過装置５には、ろ過された後の有機物と、有機部を含む細粒土が残るが、これらのろ過残渣はろ過装置５から取り出して袋に詰められ、陸上において別途無害化処理される。
【００４３】
以上のように、本発明の浄化装置によれば、有機物や有機物を含む細粒土を、シュラウド３の内部で撹拌して砂や礫から分離し、支柱２に沿って噴き上げて、水中で砂および礫を分級できるようにした。また、空気とともに浮揚する有機物や有機物を含む細粒土を回収ポンプ４で回収して浄化処理するので、全ての底泥を揚泥する従来装置に比べて、効率よく、しかもより低コストで底泥を浄化できることになる。また、全体構造が簡単であるので、浄化装置の導入コストが少なくて済むにもかかわらず、底泥を効率良く分離して回収でき、したがって全体として底泥の浄化に要するコストを大幅に削減できる。有機物等の分離を水中で行なうので振動や騒音の発生を抑止でき、より静粛な状態で底泥の浄化を行なうことができる。
【００４４】
図９は浄化装置の変形例を示す。そこでは、浄化の対象となる底泥の物理的特性や、底泥に含まれる砂や礫の割合の違いなどに応じて、規制翼３２の傾斜角度を変更できるようにした。詳しくは、各規制翼３２の内外両端に固定した軸４０を支柱２とシュラウド３で回転自在に支持し、支柱２で支持した軸４０に傘歯車４１を固定した。また、一群の傘歯車４０を同時に回転操作するために、支柱２の内部に回転自在なリングギヤ４２を設け、これをモーター４３の回転動力でギヤ機構を介して回転駆動できるようにした。モーター４３の回転動力は、ウォーム４４とウォームギヤ４５を介して横軸回りの回転動力に変換され、さらに一対の傘歯車４６・４７で縦軸回りの回転動力に変換されたのち、傘歯車４７と同行回転する駆動ギヤ４８を介して、リングギヤ４２の内歯ギヤ４９に伝動される。この駆動機構によれば、モーター４３を正転駆動し、あるいは逆転駆動することにより、規制翼３２を軸４０の回りに上下傾動させて、その傾斜角度を自由に変更できる。なお、回転自在に軸支される規制翼３２は、全ての規制翼の半数、３分の一、４分の一など自由に選定できる。
【００４５】
図１０は浄化装置のさらに別の変形例を示す。そこでは、下すぼまりテーパー状に形成される支柱２の下端７を、シュラウド３の下開口面より下方に突出させるようにした。この浄化装置によれば、シュラウド３が底泥に沈座するのに先行して、支柱２の下端７で底泥を押しのけることができるので、第１ノズル１５による底泥の掘り起こしを、さらに効果的に行なうことができる。また、支柱２の下端７で底泥を押しのけながら、支柱２およびシュラウド３を海底基盤へ向かって円滑に沈下させることができる。
【００４６】
上記の実施例では、第１ノズル１５、および第２ノズル１５を、シュラウド３の周囲壁に４個ずつ設けたが、その必要はなく、両ノズル１５・１６の配置個数はシュラウド３の大きさや、断面形状に応じて必要な配置個数を選択するとよい。必要があれば、シュラウド３の下縁寄りの周壁に第２ノズル１６を配置し、第２ノズル１６より上側のシュラウド３の周壁に第１ノズル１５を配置することができる。
【００４７】
規制翼３２は放射状に配置する必要はなく、各規制翼３２は渦巻状に配置することができる。撹拌翼３３は、シュラウド３の内面や、シュラウド３で囲まれる支柱２の外面などに設けることができる。回収ポンプ４の吸込口４ａの下方に、噴き上がってきた有機物および細粒土を、吸込口４ａへ向かって案内するフードを設けることができる。各ノズル１５・１６の取付け中心を結ぶ中心線と各噴出中心軸線Ｐ１・Ｐ２とが挟む角度αは、同じである必要はない。また、４個の第１ノズル１５の噴出中心軸線Ｐ１の角度αは、個別に異ならせてあってもよい。同様に、４個の第２ノズル１６の噴出中心軸線Ｐ２の角度αは、個別に異ならせてあってもよい。
【符号の説明】
【００４８】
１  懸吊装置
２  支柱
３  シュラウド
４  回収ポンプ
５  ろ過装置
１５  第１ノズル
１６  第２ノズル
３２  規制翼
【図１】
2011194288.tif 000003
【図２】
2011194288.tif 000004
【図３】
2011194288.tif 000005
【図４】
2011194288.tif 000006
【図５】
2011194288.tif 000007
【図６】
2011194288.tif 000008
【図７】
2011194288.tif 000009
【図８】
2011194288.tif 000010
【図９】
2011194288.tif 000011
【図１０】
2011194288.tif 000012